(57)【特許請求の範囲】
【請求項１】
支持フレームの上面側に前後方向に沿って少なくとも４つ以上の床からなる床部を備え、前記床部を構成する床のうちの前方側に位置する背部床を後方側の水平軸芯周りで起伏揺動操作する背部床用駆動装置を設け、前記床部を構成する床のうちの後方側に位置する膝部床の後端部に該膝部床の後方に位置する脚部床の前端部を枢支連結し、前記膝部床を前方側の水平軸芯周りで起伏揺動自在に操作する膝部床用駆動装置を設け、前記背部床と前記膝部床の間に位置する座部床の左右両側のそれぞれに該背部床及び膝部床の左右両側に内側に向けてそれぞれ備えさせた揺動中心軸を受け止めて支持するための共通の支持部材を設け、前記背部床の起伏揺動に伴って該背部床の座部床側端部を座部床から離間する側に移動させるために該背部床の揺動中心軸を水平方向に移動案内する案内部を前記支持部材に兼用構成し、前記支持部材の上面を前記背部床の上面とほぼ同一高さに設定し、前記左右一対の支持部材の背部床側端部を前記座部床の背部床側端部よりも背部床側へ突出配置し、前記背部床の左右両側に位置する外枠部の座部床側端部を該背部床の他の部分よりも座部床側へ突出配置し、前記水平姿勢の背部床の座部床側端部と前記水平姿勢の座部床の背部床側端部との間に発生する隙間を埋めるためのサポート部材を該背部床の座部床側端部に備えさせ、前記サポート部材と前記支持フレームのうちの該サポート部材よりも前方側部位とを、前記背部床の揺動中心軸が水平方向前方側への移動に伴って該背部床を立ち上げ操作する操作アームにて連結したことを特徴とする寝台における床部の揺動構造。
【請求項２】
支持フレームの上面側に前後方向に沿って少なくとも４つ以上の床からなる床部を備え、前記床部を構成する床のうちの前方側に位置する背部床を後方側の水平軸芯周りで起伏揺動操作する背部床用駆動装置を設け、前記床部を構成する床のうちの後方側に位置する膝部床の後端部に該膝部床の後方に位置する脚部床の前端部を枢支連結し、前記膝部床を前方側の水平軸芯周りで起伏揺動自在に操作する膝部床用駆動装置を設け、前記背部床と前記膝部床の間に位置する座部床の左右両側のそれぞれに該背部床及び膝部床の左右両側に内側に向けてそれぞれ備えさせた揺動中心軸を受け止めて支持するための共通の支持部材を設け、前記背部床の起伏揺動に伴って該背部床の座部床側端部を座部床から離間する側に移動させるために該背部床の揺動中心軸を水平方向に移動案内する案内部を前記支持部材に兼用構成し、前記支持部材の上面を前記背部床の上面とほぼ同一高さに設定し、前記背部床用駆動装置を、前記背部床の裏面に一端が固定された背部床用操作アームと、この操作アームの他端に一端が取り付けられたロッドを備えた伸縮式の背部床用電動モータとから構成したことを特徴とする寝台における床部の揺動構造。
【請求項３】
前記背部床の水平姿勢への姿勢変更時に、該背部床と前記支持フレームとの間に他物が挟まれることにより該背部床の下方側への姿勢変更を阻止するための融通部を備えてなる請求項１又は２記載の寝台における床部の揺動構造。
【請求項４】
前記膝部床の水平姿勢への姿勢変更時に、該膝部床と前記支持フレームとの間に他物が挟まれることにより該膝部床の下方側への姿勢変更を阻止するための融通部を備えてなる請求項１又は２記載の寝台における床部の揺動構造。
【請求項５】
前記背部床用駆動装置及び前記膝部床用駆動装置を操作するリモートコントロールを設け、前記リモートコントロールのコードの先端に備えさせたプラグを差し込むための抜き差し自在な差し込み部を前記支持部材の下端に左右方向から差し込み自在に設けてなる請求項１又は２記載の寝台における床部の揺動構造。
【請求項６】
前記プラグから前記リモートコントロールへのコードが下方へ垂れ下がらないように係止保持するための単又は複数の係止部材を取り付けるための取付部を前記支持部材の下端に備えさせてなる請求項５記載の寝台における床部の揺動構造。
【発明の詳細な説明】
【０００１】
【発明の属する技術分野】
本発明は、支持フレームの上面側に少なくとも４つ以上の床からなる床部を備えた寝台における床部の揺動構造に関する。
【０００２】
【従来の技術】
上記寝台においては、床部を構成する床のうちの前方側に位置する水平姿勢の背部床を後方側の水平軸芯周りで起立姿勢に揺動操作する背部床用駆動装置を設け、背部床を起立姿勢に姿勢変更することにより、例えば食事をしたり、テレビを長時間見ることができるようにしている。また、前記床部を構成する床のうちの後方側に位置する膝部床の後端部に該膝部床の後方に位置する脚部床の前端部を枢支連結し、前記水平姿勢の膝部床を前方側の水平軸芯周りで揺動させることにより起立姿勢に姿勢変更するための膝部床用駆動装置を設け、膝部床を起立姿勢に姿勢変更することで膝部床と脚部床とをほぼへの字状に変更して、足を持ち上げてリハビリ等を行うことができるようにしている。そして、背部床の起立揺動に伴って背部床の座部床側端部を座部床から離間する側に移動させるように構成することによって、身体の腰椎や腹部に背部床の起立姿勢への姿勢変更による屈曲圧が加わることを回避することができるようにしている。しかも、本願出願人が先に提案している特開平９−６５９５２号公報に示されるように、前記背部床の起立揺動に伴って背部床の座部床側端部と座部床の背部床側端部との間に発生する隙間を埋めるサポート部材を出退自在に設けることによって、前記隙間に敷布団やマットの一部が入り込むことがないようにしている。
【０００３】
【発明が解決しようとする課題】
上記構成によれば、サポート部材を背部床の起伏揺動に連動して出退させるための多数の部材からなる連動機構を必要とし、コスト高を招くだけでなく、その連動機構を組み付ける作業を必要とし、寝台全体の組み付け作業時間が多くかかる不都合が発生していた。
【０００４】
本発明が前述の状況に鑑み、解決しようとするところは、コスト高になること及び組み付け作業時間が多くかかることを解消することができる寝台における床部の揺動構造を提供する点にある。
【０００５】
【課題を解決するための手段】
本発明は、前述の課題解決のために、支持フレームの上面側に前後方向に沿って少なくとも４つ以上の床からなる床部を備え、前記床部を構成する床のうちの前方側に位置する背部床を後方側の水平軸芯周りで起伏揺動操作する背部床用駆動装置を設け、前記床部を構成する床のうちの後方側に位置する膝部床の後端部に該膝部床の後方に位置する脚部床の前端部を枢支連結し、前記膝部床を前方側の水平軸芯周りで起伏揺動自在に操作する膝部床用駆動装置を設け、前記背部床と前記膝部床の間に位置する座部床の左右両側のそれぞれに該背部床及び膝部床の左右両側に内側に向けてそれぞれ備えさせた揺動中心軸を受け止めて支持するための共通の支持部材を設け、前記背部床の起伏揺動に伴って該背部床の座部床側端部を座部床から離間する側に移動させるために該背部床の揺動中心軸を水平方向に移動案内する案内部を前記支持部材に兼用構成し、前記支持部材の上面を前記背部床の上面とほぼ同一高さに設定し、前記左右一対の支持部材の背部床側端部を前記座部床の背部床側端部よりも背部床側へ突出配置し、前記背部床の左右両側に位置する外枠部の座部床側端部を該背部床の他の部分よりも座部床側へ突出配置し、前記水平姿勢の背部床の座部床側端部と前記水平姿勢の座部床の背部床側端部との間に発生する隙間を埋めるためのサポート部材を該背部床の座部床側端部に備えさせ、前記サポート部材と前記支持フレームのうちの該サポート部材よりも前方側部位とを、前記背部床の揺動中心軸が水平方向前方側への移動に伴って該背部床を立ち上げ操作する操作アームにて連結したことを特徴としている。
従って、背部床用駆動装置により背部床を水平姿勢と起立姿勢とに起伏揺動操作することができるとともに、膝部床用駆動装置により膝部床を水平姿勢と起立姿勢とに起伏揺動操作することができる。前記のように、背部床を起立姿勢に姿勢変更することにより、背中を起こし、膝部床を起立姿勢に姿勢変更することにより、太股を少し上げて膝を上昇させた状態にすることができるようにしている。
そして、背部床の起伏揺動に伴って該背部床の座部床側端部を座部床から離間する側に移動させることによって、身体の腰椎や腹部に屈曲圧が加わることを回避することができる。尚、前記背部床及び膝部床の起立姿勢とは、水平方向に対して垂直方向と平行な姿勢の他、垂直方向よりも倒伏側に傾斜した姿勢であってもよい。
しかも、背部床の起伏揺動に伴って背部床の座部床側端部が座部床から離間して背部床と座部床の間に隙間が発生しても、左右一対の支持部材の上面にて敷布団やマット等の寝具を受け止めることができる。
又、前記支持部材が背部床及び膝部床の左右両側に内側に向けてそれぞれ備えさせた揺動中心軸を受け止めて支持する共通の部材から構成することによって、別々の部材にて構成する場合に比べて組み付け作業において有利になる。又、前記支持部材が背部床の揺動中心軸を水平方向に移動案内する案内部を兼用構成することによって、それらを別々に構成する場合に比べて更に組み付け作業面において有利になる。
上記のように、支持部材の突出部及び背部床の左右両側に位置する外枠部の突出部を備えさせることによって、背部床の揺動中心軸の水平方向への移動量を多く取ることができながらも、背部床の起伏揺動に伴って背部床の座部床側端部が座部床から離間して背部床と座部床との間に発生する隙間を少なく抑えることができる。又、前記水平姿勢の背部床の座部床側端部と前記水平姿勢の座部床の背部床側端部との間に発生する隙間を埋めるためのサポート部材を背部床の座部床側端部に備えさせることによって、サポート部材にて敷布団やマット等の寝具を受け止めることができる。しかも、前記サポート部材と支持フレームとを操作アームにて連結することによって、背部床の揺動中心軸が水背部床の揺動中心軸が水平方向前方側への移動に伴って該背部床を立ち上げ操作することができる。
【０００６】
支持フレームの上面側に前後方向に沿って少なくとも４つ以上の床からなる床部を備え、前記床部を構成する床のうちの前方側に位置する背部床を後方側の水平軸芯周りで起伏揺動操作する背部床用駆動装置を設け、前記床部を構成する床のうちの後方側に位置する膝部床の後端部に該膝部床の後方に位置する脚部床の前端部を枢支連結し、前記膝部床を前方側の水平軸芯周りで起伏揺動自在に操作する膝部床用駆動装置を設け、前記背部床と前記膝部床の間に位置する座部床の左右両側のそれぞれに該背部床及び膝部床の左右両側に内側に向けてそれぞれ備えさせた揺動中心軸を受け止めて支持するための共通の支持部材を設け、前記背部床の起伏揺動に伴って該背部床の座部床側端部を座部床から離間する側に移動させるために該背部床の揺動中心軸を水平方向に移動案内する案内部を前記支持部材に兼用構成し、前記支持部材の上面を前記背部床の上面とほぼ同一高さに設定し、前記背部床用駆動装置を、前記背部床の裏面に一端が固定された背部床用操作アームと、この操作アームの他端に一端が取り付けられたロッドを備えた伸縮式の背部床用電動モータとから構成してもよい。
【０００７】
前記背部床の水平姿勢への姿勢変更時に、該背部床と前記支持フレームとの間に他物が挟まれることにより該背部床の下方側への姿勢変更を阻止するための融通部を備えさせることによって、例えば手を背部床と支持フレームの間に挟んだ場合でも、強制的に背部床が水平姿勢側へ揺動操作されることがなく、手をケガしてしまうことを回避することができる。前記挟み込みが解除されると、背部床の自重又は該自重及び背部床に加わる人体等の荷重により水平姿勢に自ずと変更することができる。
【０００８】
前記膝部床の水平姿勢への姿勢変更時に、該膝部床と前記支持フレームとの間に他物が挟まれることにより該膝部床の下方側への姿勢変更を阻止するための融通部を備えさせることによって、例えば手を膝部床と支持フレームの間に挟んだ場合でも、強制的に膝部床が水平姿勢側へ揺動操作されることがなく、手をケガしてしまうことを回避することができる。前記挟み込みが解除されると、膝部床の自重又は該自重及び膝部床に加わる人体等の荷重により水平姿勢に自ずと変更することができる。
【０００９】
前記背部床用駆動装置及び前記膝部床用駆動装置を操作するリモートコントロールを設け、前記リモートコントロールのコードの先端に備えさせたプラグを差し込むための抜き差し自在な差し込み部を前記支持部材の下端に左右方向から差し込み自在に設けている。
上記のように差し込み部にプラグを左右方向から迅速に差し込んでからリモートコントロールを操作することにより、背部床及び膝部床を所望通りに揺動操作することができる。しかも、差し込み部を頑丈な支持部材の下端に設けることによって、他物が差し込み部に接当し難くすることができる。尚、前記差し込み部は、背部床用駆動装置及び膝部床用駆動装置の駆動を制御する制御基板等からなる制御装置に接続され、リモートコントロールからの出力信号が前記制御装置に入力されて背部床及び膝部床が揺動されることになる。
【００１０】
前記プラグから前記リモートコントロールへのコードが下方へ垂れ下がらないように係止保持するための単又は複数の係止部材を取り付けるための取付部を前記支持部材の下端に備えさせている。
上記のように取付部に備えさせた係止部材にコードを係止保持させることによって、コードが床面等に垂れ下がることを阻止することができる。
【００１１】
【発明の実施の形態】
図１〜図５に、寝台が示されており、この寝台は、前後端にそれぞれキャスター２を備えた左右一対の前後フレーム１，１とこれら前後フレームの前後２箇所の内面同士を左右方向で連結する左右フレーム３，３とからなる固定フレーム４と、この固定フレーム４に対して前後一対のリンク機構５，５及び伸縮式の電動モータ６を介して昇降自在に支持された左右一対の支持フレーム７Ａ，７Ａと、これら支持フレーム７Ａ，７Ａの前後端に溶接された前後一対の連結フレーム７Ｂ，７Ｂと、前記前側の連結フレーム７Ｂに取り付けられたヘッドボード８と、前記支持フレーム７Ａ，７Ａの上面側に支持された床部９と、前記後側の連結フレーム７Ｂに取り付けられたフットボード１０とを備えている。
【００１２】
前記床部９は、前後方向前側（ヘッドボード８側）から背部床１１、座部床１２、膝部床１３、脚部床１４の順に配置されている。前記３つの背部床１１、膝部床１３、脚部床１４は、後述するように可動式に構成し、前記座部床１２のみ固定式にしている。前記背部床１１及び前記脚部床１４の左右両側のそれぞれには、サイドレール１５を差し込んで保持するための保持部材１６を取り付けてあり、背部床１１及び脚部床１４の可動に伴って一体的に可動させることによって、身体が左右に移動して寝台から落ちないようにガイドするようになっているが、サイドレール１５及び保持部材１６を省略して実施することもできる。
【００１３】
図２に示すように、前記背部床１１は、ほぼ逆Ｕ字状（又はほぼアーチ状）の金属製の外枠フレーム１１Ａと、この外枠フレーム１１Ａの開放側を閉じて外枠を構成するための金属製の連結フレーム１１Ｂと、これらフレーム１１Ａ，１１Ｂに縦横方向に所定間隔を置いて設けられた多数の金属製の線材１１Ｃとからなっている。前記連結フレーム１１Ｂの外面（後面）には、左右一対のブラケット３３，３３を介して水平姿勢の背部床１１の座部床側端部（連結フレーム１１Ｂの外面）と水平姿勢の座部床１２の背部床側端部（前フレーム１２Ａの前（外）面）との間に発生する隙間を埋めるためのサポート部材３４を取り付けている。前記外枠フレーム１１Ａに対する前記連結フレーム１１Ｂの連結位置を、外枠フレーム１１Ａの両端から前方側へ設定距離寄った位置にしてあり、連結フレーム１１Ｂに対して外枠フレーム１１Ａの両端部それそれが後方に突出する延出部１１Ｄを外枠フレーム１１Ａに備えさせている。又、前記座部床１２は、前後一対の前後フレーム１２Ａ，１２Ａ及び左右一対の左右フレーム１２Ｂ，１２Ｂからなる外枠部と、これらフレームに所定間隔を置いて設けられた多数の金属製の線材１２Ｃとからなっている。前記左右フレーム１２Ｂ，１２Ｂに対して前記前後フレーム１２Ａ，１２Ａの両端部の連結位置を、左右フレームの前後端それぞれから中間部に設定距離寄った位置にしてあり、左右フレーム１２Ｂ，１２Ｂの前後端が前後フレーム１２Ａ，１２Ａに対して前後方向に突出した延出部１２Ｄ，１２Ｄを左右フレーム１２Ｂ，１２Ｂそれぞれに備えさせている。又、前記膝部床１３は、ほぼＵ字状の金属製の外枠フレーム１３Ａと、この外枠フレーム１３Ａの開放側を閉じて外枠を構成するための金属製の連結フレーム１３Ｂと、これらフレーム１３Ａ，１３Ｂに縦横方向に所定間隔を置いて設けられた多数の金属製の線材１３Ｃとからなっている。前記外枠フレーム１３Ａに対する前記連結フレーム１３Ｂの連結位置を、外枠フレーム１３Ａの両端から前方側へ設定距離寄った位置にしてあり、連結フレーム１３Ｂに対して外枠フレーム１３Ａの両端部それそれが前方に突出する延出部１３Ｄを外枠フレーム１３Ａに備えさせている。前記のように延出部１１Ｄ，１２Ｄ，１３Ｄを備えさせることによって、水平方向において延出部同士が互いに重複した状態になるようにしている。
又、前記脚部床１４は、ほぼ矩形状の外枠フレーム１４Ａと、この外枠フレーム１４Ａに縦横方向に所定間隔を置いて設けられた多数の金属製の線材１４Ｃとからなっている。前記各床１１〜１４の具体構成は、図２に示されるものに限定されるものではない。
【００１４】
図１、図３〜図５に示すように、前記背部床１１を起伏揺動操作することにより背部床１１を起立させた起立姿勢と水平姿勢に復帰させた使用姿勢とに切り換えるための背部床用駆動装置１７を設けている。
前記背部床用駆動装置１７は、前記背部床１１を揺動操作するために該背部床１１を構成する連結フレーム１１Ｂの裏面（下面）に一端が固定された背部床用操作アーム１８と、この操作アーム１８の他端に一端が取り付けられたロッド１９Ａを備えた伸縮式の背部床用電動モータ１９とから構成されている。
図７に示すように、前記背部床１１の揺動中心軸を構成するピン２０，２０（一方のみ示している）を背部床１１を構成する外枠フレーム１１Ａの両端にキャップ２１を介して内向きに突出させ、それらのピン２０，２０を前記座部床１２を構成する左右フレーム１２Ｂ，１２Ｂの外面にボルト固定した案内部としての案内レール２２，２２の前後方向ほぼ中央部に移動自在に内嵌している。又、前記サポート部材３４と前記支持フレーム７Ａ，７Ａのうちの該サポート部材３４よりも前方側部位（背部床１１の前後方向ほぼ中央位置の直下方に位置する部位）とを、前記背部床１１の揺動中心軸、つまり前記ピン２０，２０が水平方向前方側への移動に伴って該背部床１１を立ち上げ操作する左右一対の板状の操作アーム４３，４３にて連結している。詳述すれば、前記各操作アーム４３の後端が前記回転自在なサポート部材３４に溶接等により固定され、かつ、前端が支持フレーム７Ａの内面に回転自在に取り付けられており、ピン２０，２０が水平方向前方側への移動に伴って操作アーム４３，４３にて背部床１１を立ち上げ操作することができるようになっている。前記サポート部材３４を回転自在に構成したが、サポート部材３４を回転不能に取り付け、このサポート部材３４に対して操作アーム４３の一端を相対回転を許容する状態で取り付けて実施することもできる。又、前記左右一対の操作アーム４３，４３を設けることにより、背部床１１を安定よく立ち上げ操作することができるが、単一（１つ）の操作アームであってもよい。前記操作アーム４３，４３の形状は、図に示されるものに限定されるものではない。
従って、電動モータ１９のロッド１９Ａを伸長作動させることにより、ピン２０，２０を案内レール２２，２２に対して前方側へ移動させながら背部床１１を操作アーム４３，４３にて起立姿勢（図１の２点鎖線では最大約８０度に設定しているが、何度に設定してもよい）に姿勢変更させて、身体の腰椎や腹部に背部床１１の起立姿勢への姿勢変更による屈曲圧が加わることを回避することができるようにしている。又、電動モータ１９のロッド１９Ａを短縮作動させることにより、ピン２０，２０を案内レール２２，２２に対して後方側へ移動させながら背部床１１を使用姿勢に姿勢変更することができるようにしている。
【００１５】
前記膝部床１３も、前記背部床１１と同様に、起立させた起立姿勢と水平姿勢に復帰させた使用姿勢とに切り換えるための膝部床用駆動装置２３を設けている。
前記膝部床用駆動装置２３は、前記膝部床１３を揺動操作するために該膝部床１３を構成する連結フレーム１３Ｂの裏面（下面）に一端が固定された膝部床用操作アーム２４と、この操作アーム２４の他端に一端が取り付けられたロッド２５Ａを備えた伸縮式の膝部床用電動モータ２５とから構成されている。
図７に示すように、前記背部床１１と同様に、膝部床１３の揺動中心軸を構成するピン２６，２６（図では一方のみ示している）を膝部床１３を構成する外枠フレーム１３Ａの両端にキャップ２７を介して内向きに突出させ、それらのピン２６，２６を前記案内レール２２，２２の後端に後述のカバー部材３０により移動不能な状態で内嵌している。従って、電動モータ２５のロッド２５Ａを伸長作動させることにより、ピン２６，２６を揺動中心として膝部床１３を起立姿勢（図１の２点鎖線では最大約４５度に設定しているが、何度に設定してもよい）に姿勢変更させると共に、脚部床１４をほぼ水平姿勢に上昇させて、膝部床１３と脚部床１４とで側面視においてほぼへの字形状になるようにしている。前記脚部床１４の後端には、図４にも示すように、支持フレーム７Ａ，７Ａに固定された係止部材２８の任意の係止部２８Ａに一端が係止固定自在な脚部２９の他端を枢支連結してあり、係止部材２８の係止部に対する脚部２９の係止位置を変更することにより、脚部床１４の姿勢（水平に対する角度）を変更することができるようにしている。又、電動モータ２５のロッド２５Ａを短縮作動させることにより、ピン２６，２６を揺動中心として膝部床１３を使用姿勢に姿勢変更することができるようにしている。
【００１６】
前記各案内レール２２は、図７に示すように、前記左右フレーム１２Ｂ，１２Ｂの外面にビス止めされると共に前後端に角のとれた半円弧状部を備えた長板状でアルミ製の本体部２２Ａと、この本体部２２Ａの外面側に一体形成されると共に前後方向で互いに対向する端部が開放された長短一対のほぼＵの字状に形成されたレール部２２Ｂ，２２Ｃとからなっている。そして、このように形成された案内レール２２の前後一対の長短のレール部２２Ｂ，２２Ｃの端部間に前記背部床１１及び前記膝部床１３のピン２０、２６を上方又は下方のいずれか一方から挿入した後、前後方向に移動させることにより、ピン２０、２６を内嵌支持させることができるようにしている。このように前記案内レール２２が前記背部床１１及び前記膝部床１３のピン２０、２６を内嵌支持するための共通の支持部材を構成すると共に、案内レール２２の上面を全ての床１１〜１４の上面と同一高さ（多少相違していてもよい）に設定している。従って、背部床１１が座部床１２から離間する側（前側）に移動する場合でも、前記案内レール２２，２２及び前記左右フレーム１２Ｂ，１２Ｂの上面にて敷布団やマットを確実に支持することができるようにしている。ここでは、前記案内レール２２，２２を前記左右フレーム１２Ｂ，１２Ｂの外面にビス止め等により一体化しているが、案内レール２２，２２と左右フレーム１２Ｂ，１２Ｂとを１つの部材で構成することによって、部材点数の削減化を図ることができる。図７に示す３０は、前記レール部２２Ｂ，２２Ｃの端部間の隙間２２Ｓを埋めると共に、前記ピン２６を受け止めてピン２６を移動不能に固定するための受止部３０Ａを備えたカバー部材であり、カバー部材３０に備えた上下一対の係止片３０Ｂ，３０Ｂを前記本体部２２Ａに形成の上下一対の貫通孔２２Ｋ，２２Ｋに差し込んで係止することによりカバー部材３０を案内レール２２に固定することができるようにしている。前記カバー部材３０にてピン２６を支持することによりガタつくことなくピン２６を回転させることができる利点があるが、省略して実施することもできる。
【００１７】
図６（ａ）に示すように、前記操作アーム１８の前記電動モータ１９のロッド１９Ａの連結部分には、長孔１８Ａが形成されており、背部床１１の水平姿勢への姿勢変更時に、該背部床１１と支持フレーム７Ａとの間に例えば手（図示していない）が挟まることにより背部床１１の下方側への姿勢変更を阻止するための融通部として前記長孔１８Ａが機能するようになっている。つまり、図６（ａ）に示すように、背部床１１を下方に揺動操作している時に、図の２点鎖線で背部床１１と支持フレーム７Ａ（図示せず）との間に手等の他物が挟まっても、電動モータ１９のロッド１９Ａは短縮することになるが、ロッド１９Ａの先端、つまり操作アーム１８との連結部であるボルト３１が長孔１８Ａの後端まで移動するだけで操作アーム１８が操作されず、背部床１１は前記位置を維持することができる。尚、前記挟まっている他物が解除されると、背部床１１の自重等により水平姿勢まで下降するのである（図６（ａ）に実線で示している）。前記長孔１８Ａの長さを背部床１１が水平姿勢から約２０度の時点から作用するように設定したが、長孔１８Ａの長さは自由に変更することができる。又、ここでは、長孔１８Ａにより融通部を構成することによって、コスト面において有利になるが、例えばある一定の負荷が加わることにより電動モータ１９の作動を停止するように構成してもよく、融通部の具体的構成は自由に変更することができる。
【００１８】
又、前記もう一方の操作アーム２４の前記電動モータ２５のロッド２５Ａの連結部分にも、長孔２４Ａが形成されており、膝部床１３の水平姿勢への姿勢変更時に、該膝部床１３と支持フレーム７Ａとの間に例えば手（図示していない）が挟まることにより膝部床１３の下方側への姿勢変更を阻止するための融通部として前記長孔２４Ａが機能するようになっている。つまり、図６（ｂ）に示すように、膝部床１３を下方に揺動操作している時に、図の２点鎖線で膝部床１３と支持フレーム７Ａ（図示せず）との間に手等の他物が挟まっても、電動モータ２５のロッド２５Ａは短縮することになるが、ロッド２５Ａの先端、つまり操作アーム２４との連結部であるボルト３２が長孔２４Ａの後端まで移動するだけで操作アーム２４が操作されず、膝部床１３は前記位置を維持することができる。尚、前記挟まっている他物が解除されると、膝部床１３の自重等により水平姿勢まで下降するのである（図６（ｂ）に実線で示している）。前記長孔２４Ａの長さを膝部床１３が水平姿勢から約２０度の時点から作用するように設定したが、長孔２４Ａの長さは自由に変更することができる。又、ここでは、長孔２４Ａにより融通部を構成することによって、コスト面において有利になるが、例えばある一定の負荷が加わることにより電動モータ２５の作動を停止するように構成してもよく、融通部の具体的構成は自由に変更することができる。
【００１９】
前記案内レール２２，２２を、図８〜図１０に示すように構成してもよい（図では左右両方のものを同じように構成しているが、片方のみ構成してもよい）。つまり、案内レール２２の下端の後方側部位に、図１０に示すリモートコントロール３５のカールコード（ストレートなものでもよい）３６の先端に備えさせたプラグ３７を左右方向から差し込むための抜き差し自在な差し込み部３８を保持する保持部３９を一体的に備えさせている（別体のものを取り付けてもよい）。前記差し込み部３８は、前記背部床用駆動装置１７の電動モータ１９、膝部床用駆動装置２３の電動モータ２５、昇降用電動モータ６（省略してもよい）に駆動又は駆動停止用の指令信号を出力するための制御装置（図示せず）に電気的に接続されており、差し込み部３８にプラグ３７を差し込むことにより、制御装置とリモートコントロール３５とを電気的に接続し、リモートコントロール３５を操作することにより、支持フレーム７Ａを昇降したり、背部床１１又は膝部床１３を揺動操作することができるようにしている。
又、前記案内レール２２の下端のうちの前後方向中間部に、前記保持部３９から前方側にかけて前記リモートコントロール３５のカールコード３６が下方へ垂れ下がることがないように係止保持するための複数（図９では３個であるが、１個又は２個又は４個以上でもよい）の係止部材としてのＳ字状のフック４０を取り付けるための前後方向に長い板状の取付部４１を一体化している（別体のものを取り付けてもよい）。従って、取付部４１に形成の前後方向の長孔４１Ａに３個のフック４０を差し込んでから、それらフック４０にカールコード３６を係止保持させることになる。前記のように長孔４１Ａを形成することによって、長孔４１Ａのどの位置にもフック４０を差し込むことができる利点があるが、複数の孔であってもよい。前記リモートコントロール３５の先端には、フック部４２を備えており、このフック部４２をサイドレール１５に係止させることによりリモートコントロール３５を保持させることができるようにしているが、無くてもよい。図８〜図１０に示す説明しなかった他の構成は、前述のものと同一構成であるため、同一符号を付し、説明を省略している。
【００２０】
【発明の効果】
請求項１の発明によれば、背部床の起伏揺動に伴って背部床の座部床側端部を座部床から離間する側に移動させることによって、身体の腰椎や腹部に屈曲圧が加わることを回避することができるものでありながら、左右一対の支持部材の上面にて敷布団やマット等の寝具を受け止めることができ、従来のようなサポート部材及びそれの連動機構が不要になり、コスト高になること及び組み付け時間が多くかかることを解消することができる寝台における床部の揺動構造を提供することができる。
又、支持部材が背部床及び膝部床の左右両側に内側に向けてそれぞれ備えさせた揺動中心軸を受け止めて支持する共通の部材から構成することによって、別々の部材にて構成する場合に比べて組み付け作業において有利になる。又、支持部材が背部床の揺動中心軸を水平方向に移動案内する案内部を兼用構成することによって、それらを別々に構成する場合に比べて更に組み付け作業面において有利になる。
又、支持部材の突出部及び背部床の左右両側に位置する外枠部の突出部を備えさせることによって、背部床の揺動中心軸の水平方向への移動量を多く取ることができながらも、背部床の起伏揺動に伴って背部床の座部床側端部が座部床から離間して背部床と座部床との間に発生する隙間を少なく抑えることができ、敷布団やマット等の寝具の一部が隙間に入り込むことを回避することができる。又、水平姿勢の背部床の座部床側端部と水平姿勢の座部床の背部床側端部との間に発生する隙間を埋めるためのサポート部材を背部床の座部床側端部に備えさせることによって、サポート部材にて敷布団やマット等の寝具を受け止めることができ、より快適に使用することができる。しかも、サポート部材を背部床を立ち上げ操作する操作アームの一端を取り付ける取付部材として兼用構成することによって、部材点数の削減化を図ることができ、コスト面において有利になる。
【００２１】
請求項２の発明によれば、背部床の起伏揺動に伴って背部床の座部床側端部を座部床から離間する側に移動させることによって、身体の腰椎や腹部に屈曲圧が加わることを回避することができるものでありながら、左右一対の支持部材の上面にて敷布団やマット等の寝具を受け止めることができ、従来のようなサポート部材及びそれの連動機構が不要になり、コスト高になること及び組み付け時間が多くかかることを解消することができる寝台における床部の揺動構造を提供することができる。又、支持部材が背部床及び膝部床の左右両側に内側に向けてそれぞれ備えさせた揺動中心軸を受け止めて支持する共通の部材から構成することによって、別々の部材にて構成する場合に比べて組み付け作業において有利になる。又、支持部材が背部床の揺動中心軸を水平方向に移動案内する案内部を兼用構成することによって、それらを別々に構成する場合に比べて更に組み付け作業面において有利になる。
【００２２】
請求項３の発明によれば、背部床の水平姿勢への姿勢変更時に、背部床と支持フレームとの間に他物が挟まれることにより背部床の下方側への姿勢変更を阻止するための融通部を備えさせることによって、例えば手を背部床と支持フレームの間に挟んだ場合でも、強制的に背部床が水平姿勢側へ揺動操作されることがなく、手をケガしてしまうことを回避することができ、快適に使用することができる寝台とすることができる。
【００２３】
請求項４の発明によれば、膝部床の水平姿勢への姿勢変更時に、膝部床と支持フレームとの間に他物が挟まれることにより膝部床の下方側への姿勢変更を阻止するための融通部を備えさせることによって、例えば手を膝部床と支持フレームの間に挟んだ場合でも、強制的に膝部床が水平姿勢側へ揺動操作されることがなく、手をケガしてしまうことを回避することができ、快適に使用することができる寝台とすることができる。
【００２４】
請求項５の発明によれば、差し込み部にプラグを左右方向から差し込むだけでリモートコントロールにて背部床及び膝部床を所望通りに揺動操作することができる。しかも、差し込み部を頑丈な支持部材の下端に設けることによって、他物が差し込み部に接当し難くすることができ、耐久面において有利になる。
【００２５】
請求項６の発明によれば、取付部に備えさせた係止部材にコードを係止保持させることによって、コードが床面等に垂れ下がることを阻止することができ、例えば昇降時にコードがフレーム等に挟まって切断されることを回避することができる。
【図面の簡単な説明】
【図１】寝台の全体を示す側面図である。
【図２】寝台の全体を示す平面図である。
【図３】背部床を少し上げた状態の寝台の一部切欠き縦断側面図である。
【図４】膝部床及び脚部床をへの字状に姿勢変更した寝台の一部切欠き縦断側面図である。
【図５】背部床を上昇させた状態を示す寝台の一部省略した斜視図である。
【図６】（ａ）は背部床の下降揺動状態を示す説明図、（ｂ）は膝部床の下降揺動状態を示す説明図である。
【図７】案内レールへ揺動中心軸を内嵌する直前の状態を示す分解斜視図である。
【図８】別の案内レールの斜視図である。
【図９】案内レールの下端に備えた差し込み部にプラグを差し込む直前の状態を示す斜視図である。
【図１０】リモートコントロールをサイドレールに係止保持させた寝台の斜視図である。
【符号の説明】
１  前後フレーム        ２  キャスター
３  左右フレーム        ４  固定フレーム
５  リンク機構          ６  電動モータ
７Ａ  支持フレーム      ７Ｂ  連結フレーム
８  ヘッドボード        ９  床部
１０  フットボード      １１  背部床
１１Ａ  外枠フレーム    １１Ｂ  連結フレーム
１１Ｃ  線材            １１Ｄ  延出部
１２  座部床            １２Ａ  前後フレーム
１２Ｂ  左右フレーム    １２Ｃ  線材
１２Ｄ  延出部          １３  膝部床
１３Ａ  外枠フレーム    １３Ｂ  連結フレーム
１３Ｃ  線材            １３Ｄ  延出部
１４  脚部床            １４Ａ  外枠フレーム
１４Ｃ  線材            １５  サイドレール
１６  保持部材          １７  背部床用駆動装置
１８  操作アーム        １８Ａ  長孔
１９  電動モータ        １９Ａ  ロッド
２０  ピン（揺動中心軸）２１  キャップ
２２  案内レール（支持部材）
２２Ａ  本体部          ２２Ｂ  長レール部
２２Ｃ  短レール部      ２２Ｋ  貫通孔
２２Ｓ  隙間            ２３  膝部床用駆動装置
２４  操作アーム        ２４Ａ  長孔
２５  電動モータ        ２５Ａ  ロッド
２６  ピン（揺動中心軸）２７  キャップ
２８  係止部材          ２９  脚部
３０  カバー部材        ３０Ａ  受止部
３０Ｂ  係止片          ３１，３２  ボルト
３３  ブラケット        ３４  サポート部材
３５  リモートコントロール
３６  カールコード      ３７  プラグ
３８  差し込み部        ４０  フック（係止部材）
４１  取付部            ４１Ａ  長孔
４２  フック部          ４３  操作アーム
【図１】
0003765401.tif 000002
【図２】
0003765401.tif 000003
【図３】
0003765401.tif 000004
【図４】
0003765401.tif 000005
【図５】
0003765401.tif 000006
【図６】
0003765401.tif 000007
【図７】
0003765401.tif 000008
【図８】
0003765401.tif 000009
【図９】
0003765401.tif 000010
【図１０】
0003765401.tif 000011